(57)【特許請求の範囲】
【請求項１】
イヤホンジャックコネクタハウジングと接触端子とバッフルとを備えている防水イヤホンジャックコネクタにおいて、
前記イヤホンジャックコネクタハウジングには、前記イヤホンジャックコネクタハウジングを貫通して延伸している空間が形成されており、前記空間が、イヤホンプラグを収容するために利用され、
前記バッフルが、前記イヤホンジャックコネクタハウジングの尾部開口部に配設されており、前記イヤホンジャックコネクタハウジングの前記尾部開口部に密接状態で接触しており、これにより、前記イヤホンジャックコネクタハウジングの前記尾部開口部を密閉されており、
前記接触端子が、前記空間の内壁を密接状態で押圧しており、前記バッフルに形成された穴から貫通しており、前記穴の形状が、前記接触端子の断面に適合しており、これにより、前記接触端子によって前記穴が塞がれており、
前記イヤホンジャックコネクタが、前記イヤホンジャックコネクタハウジングの尾部に配設された接触プレートを備えており、
前記接触端子の一部分が、前記穴から貫通しており、前記接触プレートの下面を密接状態で押圧しており、前記接触プレートの前記下面が、前記イヤホンジャックコネクタハウジングの前記尾部開口部が配置されている側と同一の側に配置されている表面であることを特徴とする防水イヤホンジャックコネクタ。
【請求項２】
前記接触プレートの上面と前記イヤホンジャックコネクタハウジングの前記尾部の上面とが、同一の水平面に配置されており、
前記接触プレートの前記上面が、前記接触プレートの前記下面の反対側の表面であることを特徴とする請求項１に記載の防水イヤホンジャックコネクタ。
【請求項３】
前記接触端子が、マイクロホン端子と接地端子と右側音響チャネル端子と左側音響チャネル端子とスイッチ端子とを備えており、
前記マイクロホン端子と前記接地端子と前記右側音響チャネル端子と前記左側音響チャネル端子と前記スイッチ端子とのうち一部が、前記穴から貫通しており、一列に位置合わせされているか、又は、
前記マイクロホン端子と前記接地端子と前記右側音響チャネル端子と前記左側音響チャネル端子と前記スイッチ端子とのうち一部が、前記穴から貫通しており、少なくとも二列に位置合わせされていることを特徴とする請求項１又は２に記載の防水イヤホンジャックコネクタ。
【請求項４】
イヤホンジャックの開口部が、前記イヤホンジャックコネクタハウジングの先頭部分の断面に配設されており、
前記イヤホンジャックコネクタハウジングの前記先頭部分の前記断面が、水平な端面又は弧状の端面とされることを特徴とする請求項１〜３のいずれか一項に記載の防水イヤホンジャックコネクタ。
【請求項５】
前記イヤホンジャックコネクタハウジングには、少なくとも１つの固定片が配設されていることを特徴とする請求項１〜４のいずれか一項に記載の防水イヤホンジャックコネクタ。
【請求項６】
前記固定片には、ネジ穴が形成されていることを特徴とする請求項５に記載の防水イヤホンジャックコネクタ。
【請求項７】
前記イヤホンプラグの直径が、２．５ｍｍ又は３．５ｍｍであることを特徴とする請求項１〜６のいずれか一項に記載の防水イヤホンジャックコネクタ。
【請求項８】
前記イヤホンジャックコネクタハウジングが、プラスチック材料をプレス加工することによって形成されていることを特徴とする請求項１〜７のいずれか一項に記載の防水イヤホンジャックコネクタ。
【発明の詳細な説明】
【技術分野】
【０００１】
本発明は、電子製品の技術分野に関する。より具体的には、本発明は、防水イヤホンジャックコネクタに関する。
【背景技術】
【０００２】
電子製品は、軽量薄型化され、より多くの機能を搭載すべく脈々と発展している。イヤホンジャックコネクタも、電子製品に適合すべく脈々と発展している。現在、携帯電話、形態インターネット装置（Ｍｏｂｉｌｅ  Ｉｎｔｅｒｎｅｔ  Ｄｅｖｉｃｅｓ，  ＭＩＤ）、パームトップコンピュータ、ＭＰ３やＭＰ４のような防水電子製品において、イヤホンジャックコネクタ自体は防水に対応していない。既存のイヤホンジャックコネクタの接触端子は、イヤホンジャックコネクタの底面又は側面においてプラスチックホールから延伸されているので、水がイヤホンジャックコネクタのイヤホンジャックに流入した後に、水がイヤホンジャックコネクタの底面又は側面においてプラスチックホールに沿って電子製品内部の回路基板に流入する場合がある。イヤホンジャックコネクタの防水を実現するために、従来技術では、防護ストッパや構造部材をイヤホンジャックコネクタに組み込むことによってブロックを形成し、これにより、水がイヤホンジャックコネクタの底面又は側面においてプラスチックホールに沿って電子製品内部の回路基板に流入することを防止していた。
【０００３】
防護ストッパや構造部材をイヤホンジャックコネクタに追加すれば、防水の役割が果たされるが、イヤホンジャックの大型化を招く原因となる。このようなことは、電子製品の薄型化にとって望ましくない。
【０００４】
上述の欠点に鑑みて、本発明の実施例は防水イヤホンジャックコネクタを提供するものであり、イヤホンジャックコネクタ自体が防水機能を備えている。
【０００５】
防水イヤホンジャックコネクタが、イヤホンジャックコネクタハウジングと接触端子とバッフルとを備えており、
イヤホンジャックコネクタハウジングには、イヤホンジャックコネクタハウジングを貫通して延伸している空間が形成されており、空間が、イヤホンプラグを収容するために利用され、
バッフルが、イヤホンジャックコネクタハウジングの尾部開口部に配設されており、イヤホンジャックコネクタハウジングの尾部開口部に密接状態で接触しており、これにより、イヤホンジャックコネクタハウジングの尾部開口部を密閉しており、
接触端子が、空間の内壁を密接状態で押圧しており、バッフルに形成された穴から貫通しており、穴の形状が、接触端子の断面に適合しており、これにより、接触端子によって穴が塞がれている。
【０００６】
本発明の実施例では、
防水イヤホンジャックコネクタのイヤホンジャックコネクタハウジングには、イヤホンジャックコネクタハウジングを貫通して延伸している空間が形成されており、空間が、イヤホンプラグを収容するために利用され、バッフルが、イヤホンジャックコネクタハウジングの尾部開口部に配設されており、イヤホンジャックコネクタハウジングの尾部開口部に密接状態で接触しており、これにより、イヤホンジャックコネクタハウジングの尾部開口部が密閉されており、接触端子が、空間の内壁を密接状態で押圧しており、バッフルに形成された穴から貫通しており、これにより、防水イヤホンジャックコネクタ自体が防水機能を発揮することができる。防護ストッパや構造部材を、本発明の当該実施例における防水イヤホンジャックコネクタに組み込むことを必要としないので、超薄型のデザインコンセプトを維持することができる。これにより、イヤホンジャックコネクタの大きさを大きくすることなく、電子製品の薄型化を容易に実現することができる。
【０００７】
本発明の実施例において技術的解決手段を明確に説明するために、当該実施例を説明するために必要な図面が本明細書に添付されている。明白ではあるが、以下に説明する添付図面は、本発明の幾つかの実施例であるにすぎず、当業者であれば、特段の苦労もなく添付図面から他の実施形態を想到することができる。
【図面の簡単な説明】
【０００８】
【図１】本発明の一の実施例における防水イヤホンジャックコネクタの側面図である。
【図２】図１に表わす防水イヤホンジャックコネクタの他の側面図である。
【図３】回路基板に接触搭載された図１に表わす防水イヤホンジャックコネクタの概略図である。
【図４】図１に表わす防水イヤホンジャックコネクタの他の頂面図である。
【発明を実施するための形態】
【０００９】
本発明の実施例における技術的解決手段について、本発明の実施例を表わす添付図面を参照しつつ、明確に且つ十分に以下に説明する。明白ではあるが、説明する実施例は、本発明のすべての実施例ではなく一部の実施例にすぎない。当業者が本発明の実施例に基づいて容易に想到することができるすべての他の実施例は、本発明の保護範囲に属するものである。
【００１０】
本発明の一の実施例は、防水イヤホンジャックコネクタを提供する。当該防水イヤホンジャック自体が防水機能を備えているので、電子製品の薄型化を容易に実現することができる。本発明に関して、特定の実施例を通じて以下に説明する。
【００１１】
図１は、本発明の一の実施例における防水イヤホンジャックコネクタの側面図であり、図２は、図１に表わす防水イヤホンジャックコネクタの他の側面図である。本発明の当該実施例における防水イヤホンジャックコネクタは、イヤホンジャックコネクタハウジング１と接触端子２０とバッフル３０とを含んでいる。
【００１２】
イヤホンジャックコネクタハウジング１には、イヤホンジャックコネクタハウジング１を貫通して延伸している空間１０が形成されており、空間１０は、イヤホンプラグを収容するために利用される。
【００１３】
バッフル３０は、イヤホンジャックコネクタハウジング１の尾部開口部に配置されており、イヤホンジャックコネクタハウジング１の尾部開口部に密接状態で接触しているので、イヤホンジャックコネクタハウジング１の尾部開口部は密閉されている。
【００１４】
接触端子２０は、空間１０の内壁を密接状態で押圧しており、バッフル３０に形成されている穴から貫通している。当該穴の形状は、接触端子２０の断面に適合しているので、当該穴は、接触端子２０によって塞がれている。
【００１５】
本発明の当該実施例では、バッフル３０が、イヤホンジャックコネクタハウジング１の尾部開口部に密接状態で接触している。すなわち、具体的には、バッフル３０の形状が、イヤホンジャックコネクタハウジング１の尾部開口部の形状に適合しており、バッフル３０がイヤホンジャックコネクタハウジング１の尾部開口部に配置された状態において、バッフル３０は、イヤホンジャックコネクタハウジング１の尾部開口部を密閉しているので、防水機能が発揮される。言い換えれば、水が、イヤホンジャックコネクタハウジング１の尾部を通じて、電子製品内部の回路基板に侵入することはできない。
【００１６】
本発明の当該実施例では、接触端子２０によって穴が塞がれている。言い換えれば、穴は接触端子２０の断面によって完全に密閉されており、穴と接触端子２０の断面との間には間隙が存在しない。
【００１７】
本発明の当該実施例では、防水イヤホンジャックコネクタのイヤホンジャックコネクタハウジング１には、イヤホンジャックコネクタハウジング１を貫通して延伸している空間１０が形成されており、空間１０が、イヤホンプラグを収容するために利用される。一方、イヤホンジャックコネクタハウジング１の尾部開口部に配設されているバッフル３０は、イヤホンジャックコネクタ１の尾部開口部に密接状態で接触しているので、イヤホンジャックコネクタハウジング１の尾部開口部と空間１０の内壁を密接状態で押圧している接触端子２０とが密閉されており、バッフル３０は、バッフル３０に形成された穴から貫通しており、穴を塞いているので、防水イヤホンジャックコネクタ自体が防水機能を発揮することができる。防水を目的として、防護ストッパや構造部材を、本発明の当該実施例における防水イヤホンジャックコネクタに組み込むことを必要としないので、超薄型のデザインコンセプトを維持することができる。これにより、イヤホンジャックコネクタの大きさを大きくすることなく、電子製品の薄型化を容易に実現することができる。
【００１８】
任意の実施形態としては、本発明の実施例における防水イヤホンジャックコネクタにおいて、イヤホンジャックコネクタハウジング１には、少なくとも１つの固定片が配設されており、固定片は、イヤホンジャックコネクタハウジング１と電子製品のケースとを固定するために利用され、これにより、イヤホンジャックコネクタハウジング１の取付安定性を改善することができる。
【００１９】
例えば図１及び図２に表わすように、本発明の実施例における防水イヤホンジャックコネクタでは、イヤホンジャックコネクタハウジング１の中央部分には、左側固定片４０と右側固定片５０とが配設されている。さらに、左側固定片４０と右側固定片５０とは対称に配置されており、左側固定片４０及び右側固定片５０それぞれには、ネジ穴６０が形成されている。
【００２０】
左側固定片４０のネジ穴６０と右側固定片５０のネジ穴６０とを貫通するようにネジを利用することによって、イヤホンジャックコネクタハウジング１と電子製品のケースとが共に固定されており、これにより、イヤホンジャックコネクタハウジング１の取付安定性を改善することができる。
【００２１】
任意の実施形態としては、ケースの幾つかの特別な構造配置と協働するために、左側固定片４０と右側固定片５０とが、イヤホンジャックコネクタハウジング１の尾部又はイヤホンジャックコネクタハウジング１の先頭部分に近接した他の位置に配設されている場合がある。しかしながら、本発明は、このような構成に限定される訳ではない。
【００２２】
任意の実施形態としては、ケースの幾つかの特別な構造配置と協働するために、イヤホンジャックコネクタハウジング１には、左側固定片４０及び右側固定片５０のうち一方の固定片のみであってもイヤホンジャックコネクタハウジング１と電子製品のケースとを固定することができる限り、左側固定片４０及び右側固定片５０のうち一方の固定片のみが配設されている場合がある。しかしながら、本発明は、このような構成に限定される訳ではない。
【００２３】
任意の実施形態としては、ケースの幾つかの特別な構造配置と協働するために、イヤホンジャックコネクタハウジング１は、少なくとも２つの左側固定片４０と少なくとも２つの右側固定片５０とが配設されている場合がある。これにより、イヤホンジャックコネクタハウジング１と電子製品のケースとを一層良好に固定することができる。しかしながら、本発明は、このような構成に限定される訳ではない。
【００２４】
任意の実施形態としては、ケースの幾つかの特別な構造配置と協働するために、左側固定片４０及び右側固定片５０には、複数のネジ穴６０が形成されている場合がある。これにより、イヤホンジャックコネクタハウジング１と電子製品のケースとを一層良好に固定することができる。しかしながら、本発明は、このような構成に限定される訳ではない。
【００２５】
任意の実施形態としては、イヤホンジャックコネクタハウジング１の尾部開口部に配設されているバッフル３０と、イヤホンジャックコネクタハウジング１の尾部開口部と間に、小さい間隙が存在する場合には、防水接着剤を利用することによって当該間隙が密閉されるので、水が空間１０に流入した場合であっても、水は、イヤホンジャックコネクタハウジング１の尾部を通じて、電子製品内部の回路基板に依然として侵入することができない。同様に、接触端子２０とバッフル３０に形成された穴との間に小さい間隙が存在する場合には、防水接着剤を利用することによって当該間隙も密閉されるので、イヤホンジャックコネクタハウジング１の尾部全体が完全密閉構造となる。
【００２６】
図１及び図２に表わすように、イヤホンジャックコネクタハウジング１の尾部には、接触プレート１６０が配設されている。任意の実施形態としては、バッフル３０の穴から貫通している接触端子２０の一部分が、イヤホンジャックコネクタハウジング１の尾部に配設された接触プレート１６０の下面１６０Ａを密接状態で押圧している場合がある。下面１６０Ａは、イヤホンジャックコネクタハウジング１の尾部開口部が形成されている側と同一の側に配設されている表面である。さらに、当該実施形態では、イヤホンジャックコネクタハウジング１の尾部に配設された接触プレート１６０の上面１６０Ｂと、イヤホンジャックコネクタハウジング１の尾部の上面とは、同一の水平面に配置されており、接触プレート１６０の上面１６０Ｂは、下面１６０Ａの反対側の表面である。当該実施形態を利用することによって、防水イヤホンジャックコネクタを具備する電子製品の薄型化を容易に実現することができる。接触プレート１６０の上面１６０Ｂとイヤホンジャックコネクタハウジング１の上面とが同一平面に配置されている場合には、防水イヤホンジャックコネクタを回路基板に接触搭載した後の全体における厚さが最小限度に抑えられるので、防水イヤホンジャックコネクタを具備する電子製品の薄型化を容易に実現することができる。
【００２７】
図３は、図１に表わす防水イヤホンジャックコネクタを電子製品内部の回路基板に接触搭載した状態の概略図である。図３に表わすように、防水イヤホンジャックコネクタの接触プレート１６０の上面１６０Ｂとイヤホンジャックコネクタハウジング１の尾部の上面とは、同一の水平面に配置されており、防水イヤホンジャックコネクタを回路基板に接触搭載した後に、防水イヤホンジャックコネクタの接触プレート１６０の下面１６０Ａを密接状態で押圧している接触端子２０が、回路基板の信号端子に接続されている。防水イヤホンジャックコネクタの防水イヤホンジャックコネクタハウジング１と回路基板とが重なっている部分の厚さが最大とされ、防水イヤホンジャックコネクタの防水イヤホンジャックコネクタハウジング１が回路基板の側方に配置されている。これにより、防水イヤホンジャックコネクタを回路基板に接触搭載した後において、回路基板と防水イヤホンジャックコネクタとの全体の厚さが最小となるので、防水イヤホンジャックコネクタを具備する電子製品の薄型化を容易に実現することができる。
【００２８】
例えば接触プレート１６０の上面１６０Ｂがイヤホンジャックコネクタハウジング１の尾部の上面より下方に位置している場合には、防水イヤホンジャックコネクタを回路基板に接触搭載した後において、防水イヤホンジャックコネクタと回路基板とが重なっている部分の厚さが比較的小さいので、防水イヤホンジャックコネクタを回路基板に接触搭載した後における全体の厚さは比較的大きくなる。このような状況は、防水イヤホンジャックコネクタを具備する電子製品の薄型化にとって望ましくない。
【００２９】
また、明らかではあるが、電子製品のさらなる薄型化を考慮する必要が無い状況下においては、イヤホンジャックコネクタハウジング１の尾部に配設された接触プレート１６０の上面１６０Ｂは、イヤホンジャックコネクタハウジング１の尾部の上面より下方に位置している。しかしながら、本発明の当該実施例は、このような構成に限定される訳ではない。このようにして、防水イヤホンジャックコネクタ自体が、防水機能を発揮させることができるので、防水を目的として、防護ストッパや構造部材を、本発明の当該実施例における防水イヤホンジャックコネクタに組み込むことを必要としない。
【００３０】
本発明の実施例における防水イヤホンジャックコネクタでは、接触端子２０は、マイクロホン端子と接地端子と右側音響チャネル端子と左側音響チャネル端子とスイッチ端子とを含んでいる。一般に、マイクロホン端子は、イヤホンジャックの底壁に配置されており、接地端子と右側音響チャネル端子と左側音響チャネル端子とスイッチ端子とは、イヤホンジャックの側壁に配置されている。実際の利用では、マイクロホン端子とイヤホンジャックの開口縁部との距離が最小とされ、図１に表わす接触端子がマイクロホン端子であり、接地端子とイヤホンジャックの開口縁部との距離がマイクロホン端子とイヤホンジャックの開口縁部との距離より僅かに大きい。さらに、右側音響チャネル端子とイヤホンジャックの開口縁部との距離が接地端子とイヤホンジャックの開口縁部との距離より僅かに大きく、左側音響チャネル端子とイヤホンジャックの開口縁部との距離が右側音響チャネル端子とイヤホンジャックの開口縁部との距離より僅かに大きい。そして、スイッチ端子とイヤホンジャックの開口縁部との距離が左側音響チャネル端子とイヤホンジャックの開口縁部との距離より僅かに大きい。
【００３１】
任意の実施形態としては、マイクロホン端子と接地端子と右側音響チャネル端子と左側音響チャネル端子とスイッチ端子とのうち一部が、バッフル３０に形成された穴から貫通しており、図２に表わすように一列に位置合わせされている場合がある。すなわち、マイクロホン端子と接地端子と右側音響チャネル端子と左側音響チャネル端子とスイッチ端子とのうち一部が、バッフル３０に形成された穴から貫通しており、一列に位置合わせされており、イヤホンジャックコネクタハウジング１の尾部に配設された接触プレート１６０の下面１６０Ａを密接状態で押圧している場合がある。
【００３２】
任意の実施形態としては、マイクロホン端子と接地端子と右側音響チャネル端子と左側音響チャネル端子とスイッチ端子とのうち一部が、バッフル３０に形成された穴から貫通しており、図４に表わすように少なくとも二列に位置合わせされている場合がある。図４は、図１に表わす防水イヤホンジャックコネクタの他の上面図である。すなわち、マイクロホン端子と接地端子と右側音響チャネル端子と左側音響チャネル端子とスイッチ端子とのうち一部が、バッフル３０に形成された穴から貫通しており、少なくとも二列に位置合わせされており、イヤホンジャックコネクタハウジング１の尾部に配設された接触プレート１６０の下面１６０Ａを密接状態で押圧している場合がある。
【００３３】
任意の実施形態としては、マイクロホン端子と接地端子と右側音響チャネル端子と左側音響チャネル端子とスイッチ端子とのうち一部が、バッフル３０に形成された穴から貫通しており、他の態様で位置合わせされており、イヤホンジャックコネクタハウジング１の尾部に配設された接触プレート１６０の下面１６０Ａを密接状態で押圧している場合がある。しかしながら、本発明は、このような構成に限定される訳ではない。
【００３４】
任意の実施形態としては、マイクロホン端子と接地端子と右側音響チャネル端子と左側音響チャネル端子とスイッチ端子とのうち一部が、バッフル３０に形成された穴から貫通しており、溶着又は弾性接触によって回路基板の信号端子に接続されている場合がある。
【００３５】
図１に表わすように、イヤホンプラグを収容するために利用される空間１０の開口部は、イヤホンジャックコネクタハウジング１の先頭部分の断面に配設されている。任意の実施形態としては、イヤホンジャックコネクタハウジング１の先頭部分の断面が、水平な端面又は弧状の端面である。しかしながら、本発明は、このような構成に限定される訳ではない。特に、イヤホンジャックコネクタハウジング１の先頭部分の断面が弧状の端面である場合には、イヤホンジャックコネクタハウジング１の先頭部分の断面がケースの外形に良好に適合するので、弧状の断面をケースの外形に適用することができる。これにより、ケースの美的外観をさらに改善することができる。
【００３６】
本発明の実施例における防水イヤホンジャックコネクタでは、イヤホンプラグの直径が２．５ｍｍ又は３．５ｍｍである。しかしながら、本発明は、このような構成に限定される訳ではない。本発明の実施例における防水イヤホンジャックコネクタは、携帯電話、コンピュータ、ＭＩＤ、パームトップコンピュータ、ＭＰ３、ＭＰ４、及びイヤホンジャックコネクタの取り付けを必要とする他の電子製品に適用可能とされる。
【００３７】
任意の実施形態としては、イヤホンジャックコネクタハウジング１は、プラスチック材料をプレス加工することによって形成される場合があり、この場合には、イヤホンジャックコネクタハウジング１は、水や他の液体の侵食を防止することができる。
【００３８】
結論として、本発明の実施例における防水イヤホンジャックコネクタ自体が、防水機能を発揮させることができ、防護ストッパや構造部材を防水イヤホンジャックコネクタに組み込むことを必要としないので、イヤホンジャックコネクタの大きさを大きくすることなく、電子製品の薄型化を容易に実現することができる。
【００３９】
以上、本発明における防水イヤホンジャックコネクタについて詳述した。当業者であれば、本発明の実施例に関する概念に従って実施形態及び適用範囲を変更することができる。結論として、本明細書の内容は、本発明を限定的に解釈するためのものではない。
【符号の説明】
【００４０】
１    イヤホンジャックコネクタハウジング
１０    空間
２０    接触端子
３０    バッフル
４０    左側固定片
５０    右側固定片
６０    ネジ穴
１６０    接触プレート
１６０Ａ  （接触プレート１６０の）下面
１６０Ｂ  （接触プレート１６０の）上面
【図１】
0005700320.tif 000002
【図２】
0005700320.tif 000003
【図３】
0005700320.tif 000004
【図４】
0005700320.tif 000005